(57)【要約】【課題】  商品販売者がショッピングサイトを開設することを容易にする【解決手段】  商品販売者が、販売者側情報端末（以降、販売端末と称す）２２から、サイト開設支援サーバ（以降、支援サーバと称す）１０の登録ページにアクセスし（Ｓ１）、メールアドレスや登録商品情報（商品名及び価格）等を支援サーバ１０へ送信する（Ｓ３）。そうすると、支援サーバ１０は、登録商品情報により示される商品を販売するための販売ページを表示させるＨＴＭＬファイルを生成し、販売端末２２へ送信する（Ｓ４）。そして、商品販売者がこのＨＴＭＬファイルをサイト開設サーバ２０内に格納すると、販売ページがインターネット上で閲覧可能になる。この後、顧客が販売ページを介して商品を注文すると、その情報が支援サーバ１０に送信され（Ｓ８）、支援サーバ１０は、商品の注文があった旨を示す注文メールを販売端末２２に送信する（Ｓ１２）。【選択図】図２
2006120073.tif 000002
【特許請求の範囲】
【請求項１】
インターネットを介してアクセスする顧客に対して商品を販売するための商品販売ウェブサイトを、商品を販売する商品販売者が開設することを支援する商品販売ウェブサイト開設支援システムであって、
前記商品販売者に情報を送信するための送信先を示す販売者送信先情報と、この商品販売者が提供する商品及びこの商品に対応した価格を示す商品販売情報とをインターネットを介して入力する情報入力手段と、
前記情報入力手段から入力された商品販売情報に基づいて、この商品販売情報により示される商品を提示し、顧客からの指示に応じて、提示されている商品の中から顧客が所望する商品を注文するための内容を示す注文情報をインターネットを介して送信することが可能な商品販売ウェブページをインターネットブラウザで表示させるための第１ＨＴＭＬファイルを作成する第１ＨＴＭＬファイル作成手段と、
前記第１ＨＴＭＬファイル作成手段により作成された第１ＨＴＭＬファイルを、前記情報入力手段から入力された販売者送信先情報に基づいて、前記商品販売者の元に送信する販売者ＨＴＭＬファイル送信手段と、
前記第１ＨＴＭＬファイルを用いて生成された商品販売ウェブページを閲覧中の情報端末である顧客側情報端末から送信される注文情報をインターネットを介して受信する受信手段と、
前記受信手段により受信された注文情報の内容に応じたウェブページを前記顧客側情報端末に表示させるための第２ＨＴＭＬファイルを作成する第２ＨＴＭＬファイル作成手段と、
前記第２ＨＴＭＬファイル作成手段により作成された第２ＨＴＭＬファイルを、インターネットを介して前記顧客側情報端末へ送信する顧客ＨＴＭＬファイル送信手段と、
前記受信手段により受信された注文情報を、前記情報入力手段から入力された販売者送信先情報に基づいて、前記商品販売者の元に送信する注文情報送信手段と、
を備えることを特徴とする商品販売ウェブサイト開設支援システム。
【請求項２】
前記受信手段により受信された注文情報を記憶する注文情報記憶手段を備える、
ことを特徴とする請求項１に記載の商品販売ウェブサイト開設支援システム。
【請求項３】
前記商品販売者により管理される情報端末である販売者側情報端末から送信される、予め設定された情報要求指令をインターネットを介して受信し、受信した情報要求指令に基づいて、前記注文情報記憶手段に記憶されている注文情報を、前記販売者側情報端末に送信する記憶情報送信手段を備える、
ことを特徴とする請求項２に記載のウェブサイト開設支援システム。
【請求項４】
請求項１〜請求項３何れかに記載の商品販売ウェブサイト開設支援システムの前記各手段としてコンピュータを機能させるためのプログラム。
【発明の詳細な説明】
【技術分野】
【０００１】
本発明は、インターネット上で商品販売を行うためのシステムに関する。
【背景技術】
【０００２】
近年、インターネットを利用して商品を販売する所謂ネットショッピングが盛んに行われている。
即ち、商品を販売する商品販売者は、インターネット上にショッピングサイト（以降、単にサイトともいう）を開設する。そして顧客は、インターネットに接続可能な端末を用いてこのサイトにアクセスし、サイトにおいて提示されている商品の中から所望の商品を所定の手続きを経て購入する。
【０００３】
ところで、ショッピングサイトでは、顧客は商品を注文するための注文情報をショッピングサイト上で入力する必要がある。このためショッピングサイトでは、顧客が注文情報を入力すると、その後に、入力された注文情報に応じて、例えば、この注文情報の内容を顧客に確認させるためのウェブページを表示させる。つまり、ショッピングサイトでは、入力された情報に応じて、ウェブページの表示内容を変化させる仕組みが必要である。
【０００４】
そして、この仕組みを実現するために従来より、周知のＣＧＩ（Common Gateway Interface）等のプログラムを、ショッピングサイトの内容に応じて個別に作成し、作成したＣＧＩプログラムを、自分のサイトが格納されているウェブサーバ（以降、自サイト・サーバとも称す）に設置する手法が用いられていた。
【０００５】
尚、上述のようにショッピングサイトを開設する手法は一般的であり、公知・公用の技術に該当するため、ここでは、特に先行技術文献は開示しない。
【発明の開示】
【発明が解決しようとする課題】
【０００６】
しかしながら、ＣＧＩプログラムを作成するためには、ＣＧＩプログラム用のプログラム言語などの高度な知識が必要である。このため、商品販売者がＣＧＩプログラムを作成し、自サイト・サーバにおいてショッピングサイトを開設することは困難であるという問題があった。
【０００７】
本発明はこうした問題に鑑みなされたものであり、商品販売者がショッピングサイトを開設することを容易にする商品販売ウェブサイト開設支援システム及びプログラムを提供することを目的とする。
【課題を解決するための手段】
【０００８】
上記目的を達成するためになされた本発明は、インターネットを介してアクセスする顧客に対して商品を販売するための商品販売ウェブサイトを、商品を販売する商品販売者が開設することを支援する商品販売ウェブサイト開設支援システムであって、商品販売者に情報を送信するための送信先を示す販売者送信先情報と、この商品販売者が提供する商品及びこの商品に対応した価格を示す商品販売情報とをインターネットを介して入力する情報入力手段と、情報入力手段から入力された商品販売情報に基づいて、この商品販売情報により示される商品を提示し、顧客からの指示に応じて、提示されている商品の中から顧客が所望する商品を注文するための内容を示す注文情報をインターネットを介して送信することが可能な商品販売ウェブページをインターネットブラウザで表示させるための第１ＨＴＭＬファイルを作成する第１ＨＴＭＬファイル作成手段と、第１ＨＴＭＬファイル作成手段により作成された第１ＨＴＭＬファイルを、情報入力手段から入力された販売者送信先情報に基づいて、商品販売者の元に送信する販売者ＨＴＭＬファイル送信手段と、第１ＨＴＭＬファイルを用いて生成された商品販売ウェブページを閲覧中の情報端末である顧客側情報端末から送信される注文情報をインターネットを介して受信する受信手段と、受信手段により受信された注文情報の内容に応じたウェブページを顧客側情報端末に表示させるための第２ＨＴＭＬファイルを作成する第２ＨＴＭＬファイル作成手段と、第２ＨＴＭＬファイル作成手段により作成された第２ＨＴＭＬファイルを、インターネットを介して顧客側情報端末へ送信する顧客ＨＴＭＬファイル送信手段と、受信手段により受信された注文情報を、情報入力手段から入力された販売者送信先情報に基づいて、商品販売者の元に送信する注文情報送信手段と、を備えることを特徴とする。
【０００９】
このように構成された商品販売ウェブサイト開設支援システムでは、まず情報入力手段は、商品販売者に情報を送信するための送信先を示す販売者送信先情報と、この商品販売者が提供する商品及びこの商品に対応した価格を示す商品販売情報とをインターネットを介して入力する。そして第１ＨＴＭＬファイル作成手段は、情報入力手段から入力された商品販売情報に基づいて、この商品販売情報により示される商品を提示し、顧客からの指示に応じて、提示されている商品の中から顧客が所望する商品を注文するための内容を示す注文情報をインターネットを介して送信することが可能な商品販売ウェブページをインターネットブラウザで表示させるための第１ＨＴＭＬファイルを作成する。その後に販売者ＨＴＭＬファイル送信手段は、第１ＨＴＭＬファイル作成手段により作成された第１ＨＴＭＬファイルを、情報入力手段から入力された販売者送信先情報に基づいて、商品販売者の元に送信する。
【００１０】
更に受信手段は、第１ＨＴＭＬファイルを用いて生成された商品販売ウェブページを閲覧中の情報端末である顧客側情報端末から送信される注文情報をインターネットを介して受信する。そうすると第２ＨＴＭＬファイル作成手段は、受信手段により受信された注文情報の内容に応じたウェブページを顧客側情報端末に表示させるための第２ＨＴＭＬファイルを作成する。その後に顧客ＨＴＭＬファイル送信手段は、第２ＨＴＭＬファイル作成手段により作成された第２ＨＴＭＬファイルを、インターネットを介して顧客側情報端末へ送信する。また注文情報送信手段は、受信手段により受信された注文情報を、情報入力手段から入力された販売者送信先情報に基づいて、商品販売者の元に送信する。
【００１１】
このため、商品販売者は、情報入力手段を介して販売者送信先情報及び商品販売情報を入力することにより、商品販売ウェブページをインターネットブラウザで表示させるための第１ＨＴＭＬファイルを取得する。即ち、自分（商品販売者）のウェブサイトが格納されているウェブサーバ（自サイト・サーバ）にこの第１ＨＴＭＬファイルが格納されると、この商品販売者のウェブサイト内に、第１ＨＴＭＬファイルに基づく商品販売ウェブページが追加される。
【００１２】
そして商品販売ウェブページが追加された後に、この商品販売ウェブページを閲覧中の情報端末である顧客側情報端末から送信される注文情報は、商品販売ウェブサイト開設支援システムにより受信され、その後に商品販売ウェブサイト開設支援システムは、注文情報の内容に応じたウェブページを顧客側情報端末に表示させるための第２ＨＴＭＬファイルを顧客側情報端末へ送信する。即ち、顧客側情報端末からの注文情報の入力に応じて顧客側情報端末におけるウェブページの表示内容を変更する処理は、商品販売ウェブサイト開設支援システム側で行われる。
【００１３】
また商品販売ウェブサイト開設支援システムは、顧客側情報端末からの注文情報を商品販売者の元に送信する。このため、商品販売者は、商品販売ウェブサイト開設支援システムから送信された注文情報により、顧客からの注文があることを認識し、この注文情報に基づいて、顧客に商品を販売することができる。
【００１４】
従って、商品販売者は、第１ＨＴＭＬファイルを取得して自サイト・サーバに格納するだけで、入力された情報に応じてウェブページの表示を変化させる仕組み（ＣＧＩプログラムなど）に関する知識がなくても、ショッピングサイトを開設することができる。つまり、商品販売ウェブサイト開設支援システムは、商品販売者がショッピングサイトを開設することを容易にする。
【００１５】
また本発明の商品販売ウェブサイト開設支援システムは、受信手段により受信された注文情報を記憶する注文情報記憶手段を備えるようにするとよい。
このように構成された商品販売ウェブサイト開設支援システムによれば、注文情報記憶手段に記憶された注文情報に基づいて、購入者別や商品別の売れ行きなどの分析が可能になる。
【００１６】
また本発明の商品販売ウェブサイト開設支援システムは、商品販売者により管理される情報端末である販売者側情報端末から送信される、予め設定された情報要求指令をインターネットを介して受信し、受信した情報要求指令に基づいて、注文情報記憶手段に記憶されている注文情報を、販売者側情報端末に送信する記憶情報送信手段を備えるようにするとよい。
【００１７】
このように構成された商品販売ウェブサイト開設支援システムによれば、商品販売者は、販売者側情報端末を介して、注文情報記憶手段に記憶されている注文情報を得ることができる。つまり、注文情報を記憶するための手段を商品販売者側で備える必要がなく、商品販売者が商品販売ウェブサイトを開設する際の構成を簡略化できる。
【００１８】
ところで、上記商品販売ウェブサイト開設支援システムの各手段は、コンピュータを機能させるためのプログラムとして構成してもよい。
この場合、これらのプログラムを、コンピュータが読み取り可能な記録媒体に記憶させ、その記憶させたプログラムを必要に応じてコンピュータシステムにロードして起動することにより用いることができる。なお、記録媒体は、持ち運び可能なものであってもよいし、コンピュータシステムに組み込まれたものであってもよい。また、プログラムは、ネットワークを介してコンピュータシステムにロードするものであってもよい。
【発明を実施するための最良の形態】
【００１９】
以下に本発明の実施形態について図面をもとに説明する。
図１は本発明の商品販売ウェブサイト開設支援システムが適用されたネット販売システム１の全体構成を示すブロック図である。
【００２０】
ネット販売システム１は、インターネット１００と、インターネット１００上で商品を販売する商品販売者により管理される販売者側情報端末２２と、商品販売者のウェブサイトが開設されたサイト開設サーバ２０と、インターネット１００上で商品を購入する顧客により管理される顧客側情報端末３０と、商品販売者によるウェブサイトの開設を支援するためのサイト開設支援サーバ１０とから構成される。
【００２１】
尚、サイト開設支援サーバ１０は、インターネット１００に接続されて、インターネット１００を介して外部との間でデータの送受信を行う通信部１３と、種々のデータを格納するデータベース１５と、通信部１３とデータベース１５に接続されて、サイト開設支援サーバ１０全体の動作を制御する制御部１１とから構成される。
【００２２】
また、サイト開設支援サーバ１０，サイト開設サーバ２０，販売者側情報端末２２及び顧客側情報端末３０はそれぞれ、インターネット１００に接続され、図示しないＣＰＵ、Ｉ／Ｏ等の制御装置及びＲＯＭ，ＲＡＭ，ハードディスク等の記憶装置、ディスプレイ，キーボード，マウス，プリンタ等の周辺装置を備えた一般的なコンピュータシステムとして構成されており、ウェブブラウザ機能と電子メール機能を備える。
【００２３】
そしてサイト開設支援サーバ１０及びサイト開設サーバ２０はそれぞれ、ウェブサーバとして機能しており、インターネット１００を介して要求があった場合に要求されたウェブページをインターネットブラウザ（以降、単にブラウザと称す）で表示させるためのＨＴＭＬファイルを記憶装置から読み出してインターネット１００を介して要求元に送信する。
【００２４】
このように構成されたサイト開設支援サーバ１０において、サイト開設支援サーバ１０が備えるＣＰＵは、商品販売者がサイト開設するためのＨＴＭＬファイルを生成するＨＴＭＬファイル生成処理と、インターネットを介して顧客からの注文を受け付ける注文受付処理と、注文商品情報及び顧客情報（後述）を販売者側情報端末２２に送信する情報送信処理とをそれぞれ独立に実行する。
【００２５】
次に、ネット販売システム１において行われる処理の流れを図２〜図５をもとに説明する。図２はネット販売システム１において行われる処理の流れを示すシーケンス図、図３は登録ページ６０の構成を説明する図、図４は登録ページ６０の各項目の入力例を示す図、図５は販売ページ７０及び顧客情報入力ページ８０の構成を説明する図である。
【００２６】
図２に示すように、まず商品販売者は、販売者側情報端末２２のディスプレイに表示されたブラウザ５０（図３参照）から、サイト開設支援サーバ１０の登録ページ６０（図３参照）にアクセスする（Ｓ１）と、サイト開設支援サーバ１０は、登録ページ６０をブラウザ５０で表示させるためのＨＴＭＬファイル（登録ページＨＴＭＬファイル）を販売者側情報端末２２に送信する（Ｓ２）。
【００２７】
そして販売者側情報端末２２が登録ページＨＴＭＬファイルを受信すると、ブラウザ５０は登録ページ６０をディスプレイに表示する。その後に商品販売者は、この表示された登録ページ６０において、キーボードから必要事項を入力して登録を行う。
【００２８】
この登録ページ６０は、図３に示すように、会社名，担当者名，メールアドレス，電話番号，請求書等の送付先，複数（図３では７つ）の登録商品情報（商品名及び価格）の各項目を入力可能な形式を備えている。そして商品販売者は、各項目の内容をキーボードから入力した後にマウスで「登録」ボタンをクリックする。そして、このクリックを検出したブラウザ５０は、入力された各項目の内容（以降、登録情報とも称す）をサイト開設支援サーバ１０へ送信する（Ｓ３）。
【００２９】
一方、サイト開設支援サーバ１０では、販売者側情報端末２２から送信された登録情報の内容から、登録商品情報により示される商品を販売するための販売ページをブラウザ５０で表示させるためのＨＴＭＬファイル（販売ページＨＴＭＬファイル）を自動的に生成して、この販売ページＨＴＭＬファイルを販売者側情報端末２２へ送信する（Ｓ４）。
【００３０】
例えば図４に示すように、販売者側情報端末２２において、登録ページ６０の登録商品情報の項目として、商品名６１ａ，６１ｂ，６１ｃ及び価格６３ａ，６３ｂ，６３ｃが入力され、登録ボタンがクリックされた場合には、サイト開設支援サーバ１０は、図５（ａ）に示すように、登録ページ６０で入力された商品名及び価格に対応した商品名７３ａ，７３ｂ，７３ｃと価格７５ａ，７５ｂ，７５ｃと、購入の対象とするか否かを商品毎に入力するためのチェックボックス７１ａ，７１ｂ，７１ｃと、商品毎に購入数量を入力するための数量入力欄７７ａ，７７ｂ，７７ｃと、商品購入を決定するための「購入」ボタン７９とからなる販売ページ７０をブラウザ５０で表示させるためのＨＴＭＬファイル（販売ページＨＴＭＬファイル）が生成される。
【００３１】
そして、販売者側情報端末２２が販売ページＨＴＭＬファイルを受信した後に、商品販売者がこの販売ページＨＴＭＬファイルをサイト開設サーバ２０内の記憶装置に格納する（Ｓ５）。これにより、販売ページ７０がインターネット上で閲覧可能になる。
【００３２】
その後に顧客が、顧客側情報端末３０のディスプレイに表示されたブラウザ５０から、サイト開設サーバ２０の販売ページ７０にアクセスする（Ｓ６）と、サイト開設サーバ２０は販売ページＨＴＭＬファイルを顧客側情報端末３０に送信する（Ｓ７）。
【００３３】
そして顧客側情報端末３０が販売ページＨＴＭＬファイルを受信すると、ブラウザ５０は販売ページ７０をディスプレイに表示する。その後に顧客は、この表示された販売ページ７０において、キーボード，マウスから必要事項を入力して、所望の商品を購入する。即ち、所望の商品に対応するチェックボックス７１にマウスでチェックを入れるとともに、数量入力欄７７に購入数をキーボードで入力し、その後にマウスで「購入」ボタン７９をクリックする。そして、このクリックを検出したブラウザ５０は、チェックボックス７１にチェックを入れられた商品名と数量を示す情報（以降、注文商品情報とも称す）をサイト開設支援サーバ１０へ送信する（Ｓ８）。
【００３４】
一方、サイト開設支援サーバ１０では、顧客側情報端末３０から注文商品情報を受信すると、顧客に関する情報を得るための顧客情報入力ページ８０（図６（ｂ）参照）をブラウザ５０で表示させるためのＨＴＭＬファイル（顧客情報入力ページＨＴＭＬファイル）を顧客側情報端末３０に送信する（Ｓ９）。
【００３５】
そして顧客側情報端末３０が顧客情報入力ページＨＴＭＬファイルを受信すると、ブラウザ５０は顧客情報入力ページ８０をディスプレイに表示する。その後に顧客は、この表示された顧客情報入力ページ８０において、キーボードから必要事項を入力する。
【００３６】
この顧客情報入力ページ８０は、氏名，メールアドレス，電話番号，商品送付先の各項目を入力可能な形式を備えている。そして顧客は、各項目の内容をキーボードから入力した後にマウスで「送信」ボタンをクリックする。そして、このクリックを検出したブラウザ５０は、入力された各項目の内容（以降、顧客情報とも称す）をサイト開設支援サーバ１０へ送信する（Ｓ１０）。
【００３７】
そしてサイト開設支援サーバ１０では、顧客側情報端末３０から顧客情報を受信すると、注文が完了した旨を示す注文完了ページをブラウザ５０で表示させるためのＨＴＭＬファイル（注文完了ページＨＴＭＬファイル）を顧客側情報端末３０に送信する（Ｓ１１）。そして顧客側情報端末３０が注文完了ページＨＴＭＬファイルを受信すると、ブラウザ５０は注文完了ページをディスプレイに表示する。この注文完了ページには、例えば「ご購入ありがとうございました」などのお礼を表す文章や、購入代金の入金方法を説明する文章が表示される。
【００３８】
またサイト開設支援サーバ１０は、注文商品情報と顧客情報とをデータベース１５に格納し、注文商品情報と顧客情報とを含み、商品の注文があった旨を示す注文メールを販売者側情報端末２２に送信する（Ｓ１２）。更にサイト開設支援サーバ１０は、注文商品情報を含み、注文商品情報により示される注文を受け付けた旨を示す確認メールを顧客側情報端末３０に送信する（Ｓ１３）。
【００３９】
まず、サイト開設支援サーバ１０のＣＰＵが実行するＨＴＭＬファイル生成処理の手順を、図６（ａ）を用いて説明する。図６（ａ）はＨＴＭＬファイル生成処理を表すフローチャートである。尚、このＨＴＭＬファイル生成処理は、サイト開設支援サーバ１０のＣＰＵが起動（電源オン）している間に繰り返し実行される処理である。
【００４０】
このＨＴＭＬファイル生成処理が実行されると、サイト開設支援サーバ１０のＣＰＵは、まずＳ１１０にて、登録ページ６０にアクセスがあるか否かを判断する。ここで、登録ページ６０にアクセスがある場合には（Ｓ１１０：ＹＥＳ）、Ｓ１２０にて、アクセスをしている情報端末へ登録ページＨＴＭＬファイルを送信し、Ｓ１３０に移行する。一方、登録ページ６０にアクセスがない場合には（Ｓ１１０：ＮＯ）、Ｓ１３０に移行する。
【００４１】
そしてＳ１３０に移行すると、登録情報を受信したか否かを判断する。ここで、登録情報を受信していない場合には（Ｓ１３０：ＮＯ）、ＨＴＭＬファイル生成処理を終了する。一方、登録情報を受信した場合には（Ｓ１３０：ＹＥＳ）、Ｓ１４０にて、受信した登録情報に基づいて、販売ページＨＴＭＬファイルを生成する。
【００４２】
ここで、Ｓ１４０にて生成される販売ページＨＴＭＬファイルの一例を図８をもとに説明する。図８は、図４に示される登録情報に基づいて生成される販売ページＨＴＭＬファイルのソース（以降、販売ページ・ソースと称す）を説明する図である。なお図８において、販売ページ・ソースの左側に記載されている１〜６２の数字は、販売ページ・ソースの行を特定するための行番号である。この行番号は、実際のＨＴＭＬファイルのソースには記載されていない。
【００４３】
図８に示される販売ページ・ソースにおいて、販売ページ７０のチェックボックス７１ａ（７１ｂ，７１ｃ）は２５〜２７（３５〜３７，４５〜４７）行目のＨＴＭＬタグにより表示される。
【００４４】
また、商品名７３ａ（７３ｂ，７３ｃ）は２８（３８，４８）行目のＨＴＭＬタグにより表示される。また、価格７５ａ（７５ｂ，７５ｃ）は２９（３９，４９）行目のＨＴＭＬタグにより表示される。
【００４５】
また、数量入力欄７７ａ（７７ｂ，７７ｃ）は３０〜３２（４０〜４２，５０〜５２）行目のＨＴＭＬタグにより表示される。また、「購入」ボタン７９は５４〜５７行目のＨＴＭＬタグにより表示される。
【００４６】
また、販売ページ７０において入力された注文商品情報の送信先は、８行目のＨＴＭＬタグで示される。即ち、<form name="form1" method="post" action="jouhounyuryoku.php">において、「action=」以降に記述された「jouhounyuryoku.php」が注文商品情報の送信先を示す。この「jouhounyuryoku.php」は、顧客情報入力ページ８０を表示させるためのプログラムのファイル名であり、サイト開設支援サーバ１０内に格納されている。
【００４７】
従って、Ｓ１４０では、登録ページ６０から入力された登録情報として送信される商品名６１ａ，６１ｂ，６１ｃ及び価格６３ａ，６３ｂ，６３ｃの内容に応じてそれぞれ、２８，３８，４８行目のＨＴＭＬタグ及び２９，３９，４９行目のＨＴＭＬタグを変更する。
【００４８】
例えば、図４の登録ページ６０において、商品名６１ａとして「ＡＡＡＡＡＡＡＡＡＡ」が入力されているため、２８行目のＨＴＭＬタグは、<td valign="middle">ＡＡＡＡＡＡＡＡＡＡ</td>と記述される。
【００４９】
尚、図８では商品数が３つの場合の販売ページ・ソースを示しているが、Ｓ１４０においては、図４の登録ページ６０において入力される商品数に応じた数の、チェックボックス７１，商品名７３，価格７５及び数量入力欄７７が表示されるように、販売ページＨＴＭＬファイルが生成される。
【００５０】
そしてＳ１５０にて、Ｓ１３０で受信した登録情報の中に示されているメールアドレスを送信先として、Ｓ１４０で生成された販売ページＨＴＭＬファイルを送信する。そして、ＨＴＭＬファイル生成処理を終了する。
【００５１】
次に、サイト開設支援サーバ１０のＣＰＵが実行する注文受付処理の手順を、図７を用いて説明する。図７は注文受付処理を表すフローチャートである。尚、この注文受付処理は、サイト開設支援サーバ１０のＣＰＵが起動（電源オン）している間に繰り返し実行される処理である。
【００５２】
この注文受付処理が実行されると、サイト開設支援サーバ１０のＣＰＵは、まずＳ２１０にて、注文商品情報を受信したか否かを判断する。ここで、注文商品情報を受信していない場合には（Ｓ２１０：ＮＯ）、Ｓ２４０に移行する。一方、注文商品情報を受信した場合には（Ｓ２１０：ＹＥＳ）、Ｓ２２０にて、顧客情報入力ページＨＴＭＬファイルを生成し、更にＳ２３０にて、この注文商品情報を送信した情報端末に対して、顧客情報入力ページＨＴＭＬファイルを送信し、Ｓ２４０に移行する。
【００５３】
そしてＳ２４０に移行すると、顧客情報を受信したか否かを判断する。ここで、顧客情報を受信していない場合には（Ｓ２４０：ＮＯ）、注文受付処理を終了する。一方、顧客情報を受信した場合には（Ｓ２４０：ＹＥＳ）、Ｓ２５０にて、注文完了ページＨＴＭＬファイルを生成し、更にＳ２６０にて、この顧客情報を送信した情報端末に対して、注文完了ページＨＴＭＬファイルを送信する。
【００５４】
その後Ｓ２７０にて、受信した注文商品情報と顧客情報とをデータベース１５に格納し、更にＳ２８０にて、この注文商品情報と顧客情報とを含み、商品の注文があった旨を示す注文メールを、この注文に対応する商品販売者のメールアドレスを送信先として送信する。
【００５５】
そしてＳ２９０にて、この注文商品情報を含み、注文商品情報により示される注文を受け付けた旨を示す確認メールを、この注文に対応する顧客のメールアドレスを送信先として送信し、注文受付処理を終了する。
【００５６】
次に、サイト開設支援サーバ１０のＣＰＵが実行する情報送信処理の手順を、図６（ｂ）を用いて説明する。図６（ｂ）は情報送信処理を表すフローチャートである。尚、この情報送信処理は、サイト開設支援サーバ１０のＣＰＵが起動（電源オン）している間に繰り返し実行される処理である。
【００５７】
この情報送信処理が実行されると、サイト開設支援サーバ１０のＣＰＵは、まずＳ３１０にて、注文商品情報及び顧客情報の送信を要求する情報要求指令を受信したか否かを判断する。ここで、情報要求指令を受信していない場合には（Ｓ３１０：ＮＯ）、情報送信処理を終了する。一方、情報要求指令を受信した場合には（Ｓ３１０：ＹＥＳ）、Ｓ３２０にて、情報要求指令を送信した販売者側情報端末２２に対応する注文商品情報及び顧客情報をデータベース１５から抽出し、抽出した注文商品情報及び顧客情報を、この販売者側情報端末２２に送信する。そして、情報送信処理を終了する。
【００５８】
このように構成されたネット販売システム１では、まずサイト開設支援サーバ１０が、インターネットを介して登録情報を受信する（Ｓ１３０：ＹＥＳ）と、受信した登録情報に基づいて、販売ページＨＴＭＬファイルを生成し（Ｓ１４０）、登録情報の中に示されているメールアドレスを送信先として、この販売ページＨＴＭＬファイルを送信する（Ｓ１５０）。
【００５９】
その後、通信部１３が注文商品情報をインターネットを介して受信する（Ｓ２１０：ＹＥＳ）と、顧客情報入力ページＨＴＭＬファイルを生成し（Ｓ２２０）、注文商品情報を送信した情報端末に対して、顧客情報入力ページＨＴＭＬファイルを送信する（Ｓ２３０）。
【００６０】
また、通信部１３が顧客情報をインターネットを介して受信する（Ｓ２４０：ＹＥＳ）と、注文完了ページＨＴＭＬファイルを生成し（Ｓ２５０）、顧客情報を送信した情報端末に対して、注文完了ページＨＴＭＬファイルを送信する（Ｓ２６０）。
【００６１】
そして、注文メールを、この注文に対応する商品販売者のメールアドレスを送信先として送信する（Ｓ２８０）。
このため、商品販売者は、販売者側情報端末２２のディスプレイに表示された登録ページ６０を介して登録情報を入力すると、販売ページＨＴＭＬファイルを取得する。即ち、サイト開設サーバ２０にこの販売ページＨＴＭＬファイルが格納されると、この商品販売者のウェブサイト内に、販売ページＨＴＭＬファイルに基づく商品販売ウェブページが追加される。
【００６２】
そして商品販売ウェブページが追加された後に、この商品販売ウェブページを閲覧中の情報端末である顧客側情報端末３０から送信される注文商品情報及び顧客情報は、サイト開設支援サーバ１０により受信され、その後にサイト開設支援サーバ１０は、注文商品情報または顧客情報の内容に応じたウェブページを顧客側情報端末に表示させるためのＨＴＭＬファイルを顧客側情報端末３０へ送信する。即ち、顧客側情報端末３０からの注文商品情報または顧客情報の入力に応じて顧客側情報端末３０におけるウェブページの表示内容を変更する処理は、サイト開設支援サーバ１０側で行われる。
【００６３】
またサイト開設支援サーバ１０は、顧客側情報端末３０からの注文商品情報及び顧客情報を商品販売者の元に送信する。このため、商品販売者は、サイト開設支援サーバ１０から送信された注文商品情報及び顧客情報により、顧客からの注文があることを認識し、この注文商品情報及び顧客情報に基づいて、顧客に商品を販売することができる。
【００６４】
従って、商品販売者は、販売ページＨＴＭＬファイルを取得してサイト開設サーバ２０に格納するだけで、入力された情報に応じてウェブページの表示を変化させる仕組み（ＣＧＩプログラムなど）に関する知識がなくても、ショッピングサイトを開設することができる。つまり、サイト開設支援サーバ１０は、商品販売者がショッピングサイトを開設することを容易にする。
【００６５】
またサイト開設支援サーバ１０は、注文商品情報及び顧客情報をデータベース１５に格納する（Ｓ２７０）。このため、データベース１５に格納された注文商品情報及び顧客情報に基づいて、購入者別や商品別の売れ行きなどの分析が可能になる。
【００６６】
またサイト開設支援サーバ１０は、販売者側情報端末２２からの情報要求指令に応じて、注文商品情報及び顧客情報を販売者側情報端末２２に送信する（Ｓ３２０）。このため、注文商品情報及び顧客情報を記憶するための手段を商品販売者側で備える必要がなく、商品販売者が商品販売ウェブサイトを開設する際の構成を簡略化できる。
【００６７】
以上説明した実施形態において、サイト開設支援サーバ１０は本発明における商品販売ウェブサイト開設支援システム、登録ページ６０，ブラウザ５０，販売者側情報端末２２及び通信部１３は本発明における情報入力手段、図６のＳ１４０の処理は本発明における第１ＨＴＭＬファイル作成手段、図６のＳ１５０の処理は本発明における販売者ＨＴＭＬファイル送信手段、通信部１３は本発明における受信手段、図７のＳ２２０，Ｓ２５０の処理は本発明における第２ＨＴＭＬファイル作成手段、図７のＳ２５０，Ｓ２６０の処理は本発明における顧客ＨＴＭＬファイル送信手段、図７のＳ２８０の処理は本発明における注文情報送信手段、図７のＳ２７０の処理は本発明における注文情報記憶手段、通信部１３及び図６（ｂ）のＳ３２０の処理は本発明における記憶情報送信手段である。
【００６８】
また、登録情報のうちのメールアドレスは本発明における販売者送信先情報、登録商品情報は本発明における商品販売情報、注文商品情報及び顧客情報は本発明における注文情報、販売ページ７０は本発明における商品販売ウェブページ、販売ページＨＴＭＬファイルは本発明における第１ＨＴＭＬファイル、顧客情報入力ページＨＴＭＬファイル及び注文完了ページＨＴＭＬファイルは本発明における第２ＨＴＭＬファイルである。
【００６９】
以上、本発明の一実施例について説明したが、本発明は上記実施例に限定されるものではなく、本発明の技術的範囲に属する限り種々の形態を採ることができる。
例えば、上記実施形態においては、販売者側情報端末２２及び顧客側情報端末３０は、制御装置，記憶装置及び周辺装置を備えた一般的なコンピュータシステムとして構成されているものを示したが、インターネットに接続可能な携帯電話であってもよい。
【００７０】
また上記実施形態においては、販売ページ７０は３つの商品を表示しているが、更に多くの商品を表示可能に構成してもよい。例えば、多数の商品を表示するために、販売ページ７０を複数設けるようにしてもよい。
【００７１】
また上記実施形態において、販売ページ７０は、商品を特定するために商品名のみを表示しているが、商品を示す画像を追加して表示するようにしてもよい。
また上記実施形態において、販売ページ７０では、購入の対象とする商品であるか否かをチェックボックス７１により入力するように構成されている。しかし、販売ページ７０は、購入の対象とする商品をショッピングカート（買い物かご）に入れるという、周知の方法を採用した構成としてもよい。
【００７２】
また、商品販売者が開設するショッピングサイトにおいて、販売ページ７０以外に、同時購入品やオススメ商品を紹介するウェブページや、商品を購入した顧客の感想を表示するウェブページを追加してもよいし、販売ページ７０において、同時購入品，オススメ商品や顧客の感想を表示するようにしてもよい。
【図面の簡単な説明】
【００７３】
【図１】ネット販売システム１の構成を説明するブロック図。
【図２】ネット販売システム１における処理の流れを示すシーケンス図。
【図３】登録ページ６０の構成を説明する図。
【図４】登録ページ６０の各項目の入力例を示す図。
【図５】販売ページ７０及び顧客情報入力ページ８０の構成を説明する図。
【図６】ＨＴＭＬファイル生成処理及び情報送信処理手順を示すフローチャート。
【図７】注文受付処理手順を示すフローチャート。
【図８】販売ページＨＴＭＬファイルのソースを説明する図。
【符号の説明】
【００７４】
１…ネット販売システム、１０…サイト開設支援サーバ、１１…制御部、１３…通信部、１５…データベース、２０…サイト開設サーバ、２２…販売者側情報端末、３０…顧客側情報端末、５０…ブラウザ、６０…登録ページ、７０…販売ページ、８０…顧客情報入力ページ、１００…インターネット。
【図１】
2006120073.tif 000003
【図２】
2006120073.tif 000004
【図３】
2006120073.tif 000005
【図４】
2006120073.tif 000006
【図５】
2006120073.tif 000007
【図６】
2006120073.tif 000008
【図７】
2006120073.tif 000009
【図８】
2006120073.tif 000010